(57)【要約】      （修正有）【課題】冷却する部位に装着する場合、柔軟軽量で、冷却時間を長く保持出来る、安価な素材を使用し、繰り返し冷凍使用することが出来る、廃棄物を使用した保冷剤を提供する。【解決手段】廃棄する発泡スチロールを破砕細片化して置き、豆腐のオカラ又は米ヌカにお茶ガラ、稲ワラは、粉末状にし、納豆菌を混入して発酵に適する温度の、温水を加え、更に、外側の温水容器に適温の温水を入れ、保温して、発酵が完了後に、発酵ガスを抜き、糊状したものを細片化した発泡スチロールに混入し、適量の塩を加えて攪拌、ビニール等の柔軟なシートを使用した袋に、保冷剤を充填した、廃棄物を使用した保冷剤とする。【選択図】図１
0003141037.tif 000002
【実用新案登録請求の範囲】
【請求項１】
本考案の、廃棄物を利用した、保冷剤の範囲は、廃棄する発泡スチロ−ルを基材に使用、豆腐のオカラ、米ヌカ、その他、稲ワラ、乾草等の、植物繊維を粉末化し、発酵物質を混入攪拌し、お茶ガラ等を乾燥、細粉化し混入攪拌して糊状になる様に加熱し、トイレット・ペ−パ−等の、水溶性用紙に、マイナスイオン水を、混入溶解し、適量の塩を加え攪拌し、発泡スチロ−ルを、細片化したものに、混入攪拌袋に充填した、保冷剤の配合。
吸収ポリマ−を中間に付着し、綿等の圧縮シ−トを、プラスチック製ネットに依り包み、保冷剤を入れる袋を形成し、周囲の水分を、吸収、蒸発する際の、潜熱効果に依り、冷却効果を増す事が出来る、身体に装着する際に、使用する装着用付属袋の形成。
【考案の詳細な説明】
【技術分野】
【０００１】  本考案は、廃棄焼却する、発泡スチロ−ルを破砕、細片化、基材に使用し、豆腐のオカラに、米ヌカ、その他、稲ワラ、乾草等の、植物繊維を粉末化混入発酵物質を加え発酵、お茶ガラ等を乾燥粉末化、混入攪拌し、糊状に成る様に加熱攪拌し、−イオン水に、トイレット用紙等の、水溶性用紙を溶解、適量の塩を加え、発泡スチロ−ルの細片に、混入攪拌し、袋に充填した、保冷剤袋の形成。
吸収ポリマ−を、中間に付着した、紙綿等の圧縮シ−トを、プラスチック製、ネットで包み、袋を形成し、装着用袋を身体に装着する、又は、保冷容器等、にも入れて、使用出来る、軽量安価な保冷剤と、装着用袋の構成に関する。
【背景技術】
【０００２】  本考案の保冷剤は、従来の保冷剤の様に、連結凍結する事を抑制、廃棄焼却する、発泡スチロ−ルを基材に使用、豆腐のオカラ、米ヌカ等に、植物繊維を乾燥し粉未化し使用、酵素を混入攪拌、発酵、お茶ガラ等を乾燥、細粉化し、−イオン水に、水溶性用紙を溶解、適量の塩を混入、発泡スチロ−ルを細片化した基材に、混入攪拌し袋に充填した保冷剤を形成。
吸収ポリマ−を間に付着した、綿等の圧縮シ−トを、プラスチック製ネットで包み、身体に装着用の袋を形成、又は、保冷剤を保冷容器の内に入れ使用する保冷剤と装着用袋の構成し、発泡スチロ−ルの断熱性を冷熱の発散と、冷熱の伝動を抑制し、混入する素材で、保冷性を保持、−イオン水を、混入する事で発泡スチロ−ルを細片化した基材に吸着、水と塩が分離凍結、溶解の際の冷却作用で、保冷効果を増し、塩とお茶ガラ等の防腐効果を得る事が出来る、更に身体に装着する、吸収ポリマ−を間に付着の、綿等の圧縮シ−トの潜熱効果で保冷効果を増す効果が有る、保冷剤と付属する装着具の形成。
【考案の開示】
【考案が解決しようとする課題】
【０００３】  従来の保冷剤は、冷凍化すると連結凍結し、身体の冷却部分に馴染まない冷凍、連結固化せず、平均的に柔軟に成り、保冷時間を長く保持、軽量安価な保冷剤を提供のため、大部分の素材を、廃棄物を利用し、配合構成、廃棄物を再利用し、大気温暖化の抑制に貢献するため、酵素で分解し、糊状に成る様に加熱し、−イオン水を加え、細片化し攪拌、発泡スチロ−ルに付着する作用に依り、基材に利用した、保冷剤の配合。
【考案が解決するための手段】
【０００４】  本考案は、廃棄焼却する、発泡スチロ−ルを、細片化し基材とし使用する、溶解精製し、元のスチロ−ル原料に再生する事は、経費が掛かり採算が悪い、廃棄焼却する、発泡スチロ−ルを細片化し、豆腐のオカラ等と、米ヌカ等に、お茶ガラ等を乾燥、粉末化混入し、酵素を加え攪拌、発酵し、糊状に加熱攪拌−イオン水に、トイレ用紙等の水溶性用紙を溶解し、適量の塩を加えて攪拌し細片化した、発泡スチロ−ルに、混入攪拌し、袋に充填した保冷剤の形成。
吸収ポリマ−を間に付着した、綿等の圧縮シ−トを、プラスチック製ネットで包み、袋を形成、身体に装着する際に使用、潜熱効果に依り、相乗効果に得て保冷時間を保持する、付属装着用袋と、容器内に保冷を要する物を搬送する、ため保冷剤を入れ、使用も出来、保冷容器に予備の保冷剤を携帯出来る。
【課題を解決するための手段】
【０００５】  廃棄する、発泡スチロ−ルを保冷剤を利用、豆腐のオカラ、米ヌカ等に酵素を、加え発酵、加熱、攪拌し糊状にして、お茶ガラ等を乾燥し、細粉化し混入−イオン水に、水溶性用紙を溶解し攪拌、適量の塩を加え、混入攪拌袋に充填した、保冷剤袋。    使用の際は、プラスチック製ネットで、吸収ポリマ−を間に付着した、綿等を圧縮シ−トを包んだ袋を作り、保冷剤を入れ潜熱効果に依り、周囲を冷却し、相乗冷却効果を増す、保冷剤と、装着用袋の形成。
【考案の効果】
【０００６】  本考案の効果は、発泡スチロ−ルの、廃棄焼却に依る、大気温暖化抑制し保冷剤の軽量化により、冷凍バックの軽量化、安全ヘルメット内に装着する事に依り、熱中症の防止、発熱時の頭部の冷却、炎天下のゴルフ帽子に装着し中高年者の、脳梗塞等の予防、高圧電力工事の際の、ゴム作業衣の内に装着し熱中症の防止等に使用する、尚、保冷容器に予備の保冷剤を入れ、携帯して、使用する、軽量、柔軟、安価な、保冷剤を提供出来る。
【考案を実施するための最良の形態】
【０００７】本考案の特徴は、細片化した発泡スチロ−ル（１）の、断熱性に依り、冷熱の伝導発散を抑制、水と塩（５）が分離凍結、塩（５）と、−イオン水（４）が溶融する際の、冷却効果を応用、冷熱が緩やかに伝導する事で、保冷時間を、長く保持出来る、豆腐のオカラ、米ヌカ等の植物繊維（２）に、酵素を混入し発酵させ、加熱し糊状して、お茶ガラ等を乾燥、粉末化し（３）を混入、発泡スチロ−ルを、細片化した（１）に混入攪拌し、−イオン水の作用で付着した保冷剤を袋に充填した、保冷剤袋の形成。    吸収ポリマ−を、間に付着した綿等の圧縮シ−ト（６）を、プラスチック製、ネットで包んだ袋（７）を作り保冷剤を入れ使用し、潜熱効果に依り保冷保持の相乗効果を、得る事が出来る保冷剤袋と付属装着用袋（８）を形成する事。
【実施例】
【０００８】  安全ヘルメットの内に装着し、バイク等を運転する場合、熱中症を防止する事が出来る、発熱時の頭部の冷却、炎天下の、ゴルフ帽子の内側に装着、中高年令者の、脳疾梗塞等の発症の防止、高圧電力鉄塔の電力高所作業時に、ゴム作業服の下に装着の際、軽量で有るので作業性が良い、警察官のパトロ−ルの際、防弾チョツキの下に装着、背中の汗を吸着冷却、注意力が増す、保冷物を搬送する保冷バックに使用出来、予備保冷剤を携帯出来る、保冷剤の付属具。
【産業上の利用可能性】
【０００９】  本考案は、主要な素材を、廃棄物を使用する事で、大気温暖化を抑制に貢献廃棄物を、そのまま利用、複雑な工程を経過する事が、少ない事で経費を節約新たな、廃棄物再生事業を起こし、環境浄化に役立つ、可能性が有る。
【図面の簡単な説明】
【００１０】
【図１】  保冷剤を袋に入れた透視図、
【図２】  保冷剤袋の装着用プラスチック製ネット袋、
【符号の説明】
【００１１】  （１）  廃棄焼却する発泡スチロ−ルの細片化したもの、
（２）  豆腐のオカラと米ヌカ植物繊維等を糊状にしたもの、
（３）  お茶ガラ等を乾燥し粉末化したもの、
（４）  マイナス・イオン水、
（５）  適量の塩、
（６）  吸収ポリマ−を付着した綿等の圧縮シ−ト、
（７）  プラスチック製ネットで包んだ袋、
（８）  装着用袋、
（９）  保冷剤を充填した袋
【配列表フリ−テキスト】
【００１２】［配列表］  従来の保冷剤の、ほとんどは、連結凍結し、重量が多く凍結した水分の融解が最後まで残留し、身体に装着する場合馴染みが悪い、本考案の、廃棄焼却する、発泡スチロ−ルを、基材に使用した保冷剤は、軽量安価に製造出来、塩と分離凍結した、水分が緩やかに融解する際、冷却作用が発生して、ゼリ−状に、溶融して、柔軟性を保持する効果が有る。
従来の保冷剤には、吸収ポリマ−に水等を吸収し、表面に、ＣＭＣ系保冷液をコ−チングした保冷剤、ウレタンホ−ムに保冷液を浸透した保冷剤、樹液等の液体を、容器に入れた保冷剤、吸収ポリマ−に液体を混入、保冷剤等、種々の保冷剤が有るが、塩を混入すると、吸収ポリマ−の、分子構造が変化し効果が無くなる事が、実験の結果解った。
【関連する特許出願】
【００１３】  特願２００２−３５８７２４
その他、廃棄焼却する発泡スチロ−ルを、細片化使用する、保冷剤出願が数種類、有ります。
【図１】
0003141037.tif 000003
【図２】
0003141037.tif 000004
【手続補正書】
【提出日】平成19年3月26日(2007.3.26)
【手続補正１】
【補正対象書類名】明細書
【補正の内容】
0003141037.tif 000005
0003141037.tif 000006
0003141037.tif 000007
0003141037.tif 000008
0003141037.tif 000009
0003141037.tif 000010
0003141037.tif 000011
0003141037.tif 000012
【手続補正書】
【提出日】平成19年6月1日(2007.6.1)
【手続補正１】
【補正対象書類名】実用新案登録請求の範囲
【補正対象項目名】全文
【補正方法】変更
【補正の内容】
【実用新案登録請求の範囲】
【請求項１】
本考案は、豆腐のオカラ、米ヌカ、お茶ガラを、混入攪拌し、発酵させ、糊状になる様に加熱したものに、発泡スチロ−ルを、細片化し、−イオン水を混入して、適量の塩を加えて攪拌し、冷凍の際、塩と水が分離凍結し、溶融の際周囲を冷却する作用で、発泡スチロ−ルの断熱性と、冷熱の伝導を抑制する効果で、保冷時間を保持出来る、保冷剤を、吸収ポリマ−を中間に付着した綿等の圧縮シ−トを、プラスチック製ネットで包み装着用袋を作り、保冷剤を入れ、装着の際に、周囲の水分を吸収蒸発し、潜熱効果で冷却効果を増す事が出来る、身体に装着使用する、付属装着用袋付き保冷剤。
【手続補正２】
【補正対象書類名】明細書
【補正対象項目名】全文
【補正方法】変更
【補正の内容】
【考案の詳細な説明】
【考案の詳細な説明】
【技術分野】
【０００１】  本考案は、豆腐のオカラに、米ヌカ、お茶ガラを粉末化混入し、発酵物質を加え発酵させ、糊状に成る様に加熱攪拌したものに、発泡スチロ−ルを、細片化して、−イオン水に、適量の塩を加え攪拌、冷凍の際に、塩と水が分離凍結して溶融の際に、周囲を冷却する作用で、発泡スチロ−ルの、断熱性に依って冷熱の伝導を抑制して、保冷時間を保持出来る、保冷剤を、吸収ポリマ−を中間に付着した、綿等の圧縮シ−トを、プラスチック製、ネットで包み、袋を作り、保冷剤を入れる、付属装着用袋付き保冷剤に関する。
【背景技術】
【０００２】  本考案の保冷剤は、豆腐のオカラ、米ヌカ、お茶ガラを粉末化し、発酵させ糊状に成る様に加熱攪拌したものに、発泡スチロ−ルを細片化、−イオン水に適量の塩を混入攪拌し、冷凍氷結の際に、水と塩が分離氷結し溶融時に周囲を冷却する作用に依って、発泡スチロ−ルの断熱性と冷熱の伝導と発散を抑制し冷熱を保持、−イオン水を、混入する事で吸着し、保冷効果を保持し、塩と、お茶ガラの成分で、防腐効果を得る、更に、吸収ポリマ−を、間に付着した、綿等の圧縮シ−トを、プラスチック製ネットで包み、保冷剤を入れる袋を作り身体に装着の際に、水分を吸着、潜熱効果に依る保冷効果を増す効果が有る、付属装着用袋と保冷剤の提供。
【考案の開示】
【考案が解決しようとする課題】
【０００３】  従来の保冷剤は、冷凍化すると連結凍結し、身体の冷却部分に馴染まない冷凍、連結固化せず、平均的に柔軟に成り、保冷時間を長く保持、軽量安価な保冷剤を提供のため、廃棄焼却する発泡スチロ−ルを再利用し、破砕細片化ししたものに、豆腐のオカラ、米ヌカに、お茶ガラを粉末化、発酵分解し糊状に成る様に加熱、−イオン水を加え、適量の塩を混入攪拌し、お茶ガラの成分と塩に依り抗菌作用が有り、冷凍凍結の際に、水と塩が分離凍結し、溶解の際に周囲を冷却する効果を利用、発泡スチロ−ルの断熱性で、冷熱伝導発散を抑制する作用に依り、前述の欠点を解決する、付属装着用袋付き保冷剤の提供。
【考案が解決するための手段】
【０００４】  本考案は、豆腐のオカラ、米ヌカ、お茶ガラを乾燥、粉末化混入し、酵素を加え、発酵させ、糊状に加熱攪拌したものに、−イオン水に、適量の塩を加え発泡スチロ−ルを細片化し、混入攪拌した保冷剤は、冷凍氷結の際、水と塩が分離氷結し、溶融の際に周囲を冷却する作用で、発泡スチロ−ルの断熱作用で冷熱の伝導発散を抑制し、保冷時間を長く保持する、更に、吸収ポリマーを、間に付着した、綿等の圧縮シ−トを、プラスチック製ネットで包み、袋を作り保冷剤を入れ、身体に装着して、吸湿した水分が潜熱効果に依り、保冷時間を増す効果が有る、付属装着用袋付き保冷剤の提供。
【考案の効果】
【０００５】  本考案の効果は、発泡スチロ−ルの、廃棄焼却に依る、大気温暖化抑制し保冷剤の軽量化により、冷凍パックの軽量化、安全ヘルメット内に装着する事に依り、熱中症の防止、発熱時の頭部の冷却、炎天下のゴルフ帽子に装着し中高年者の、脳梗塞等の予防、高圧電力工事の際の、ゴム作業衣の内に装着し熱中症の防止等に使用する、尚、保冷容器に予備の保冷剤を入れ、携帯して、使用する事が出来る、軽量、柔軟、安価な、付属装着用袋付き保冷剤の提供。
【考案を実施するための最良の形態】
【０００６】本考案は、廃棄焼却する発泡スチロ−ルを、細片化したものに、豆腐のオカラ米ヌカ、お茶ガラを粉末化し、酵素により発酵分解して、加熱し糊状にして、−イオン水と、適量の塩を混入し、発泡スチロ−ルの細片に付着し、保冷剤を作り、冷凍氷結の際に、水と塩が分離氷結、溶融の際に周囲を冷却する作用を発泡スチロ−ルの、断熱性に依り、冷熱の伝導発散を抑制する、効果を応用冷熱が緩やかに伝導する事で、保冷時間を延長出来る、更に、吸収ポリマ−を間に付着した、綿等の圧縮シ−トを、プラスチック製ネットで包んだ袋を作り保冷剤を入れて、汗の水分を吸湿し、発散する潜熱効果で、身体を冷却する効果が有る、付属装着用袋付き保冷剤の提供。
【実施例】
【０００７】本考案の特徴は、細片化した発泡スチロ−ル、１の、断熱性に依り、冷熱の伝導発散を抑制、水と塩が分離凍結、塩と水が溶融する際の、冷却効果を応用冷熱が緩やかに伝導する事で、保冷を長く保持出来る、豆腐のオカラ、米ヌカお茶ガラを粉末化、２に、酵素を混入発酵、加熱糊状にし、−イオン水を加え３を、適量の塩、４を混入し、発泡スチロ−ルを細片化混入攪拌した保冷剤袋５を、吸収ポリマ−を付着の、綿等の圧縮シ−トを、プラスチック製ネットで包んだ袋、６を作り、保冷剤を入れて使用する、水分の発散する潜熱効果で、冷熱を保持の相乗効果を得る、付属装着用袋付き保冷剤の提供。
【産業上の利用可能性】
【０００８】  本考案は、主要な素材を、廃棄物を使用する事で、大気温暖化を抑制に貢献廃棄物を、そのまま利用、複雑な工程を経過する事が、少ない事で経費を節約新たな、廃棄物再生事業を起こし、環境浄化に役立つ、可能性が有る。
【図面の簡単な説明】
【０００９】
【図１】保冷剤袋の斜視図、
【図２】保冷剤の内容の拡大平面透視図、
【図３】付属装着用袋の斜視図、
【符号の説明】
【００１０】１          廃棄焼却する発泡スチロ−ルの細片化したもの、
２          豆腐のオカラ、米ヌカ、お茶ガラを発酵分解したもの、
３          発酵分解し糊状にして、−イオン水を混入したもの、
４          適量の塩、
５          保冷剤袋、
６          プラスチック製ネットで包んだ綿等の圧縮シ−トの袋、
【手続補正３】
【補正対象書類名】図面
【補正対象項目名】全図
【補正方法】変更
【補正の内容】
【図１】
0003141037.tif 000013
【図２】
0003141037.tif 000014
【図３】
0003141037.tif 000015
【手続補正書】
【提出日】平成19年8月13日(2007.8.13)
【手続補正１】
【補正対象書類名】実用新案登録請求の範囲
【補正対象項目名】全文
【補正方法】変更
【補正の内容】
【実用新案登録請求の範囲】
【請求項１】
廃棄する、豆腐のオカラ、米ヌカ、お茶ガラ、稲ワラ等を、乾燥、粉末化、稲ワラは最小に細断し、納豆菌を混入発酵に適する温水を加え適する温度を保ち発酵させ、発酵終了、糊状、粘りの有る状態を残す程度に、加熱、発酵ガスを抜き、廃棄する発泡スチロールを破砕、米粒大よりゴマ粒、程度に、細片化した素材に、適量の塩と水を加え、糊状の素材を混入し、発泡スチロールの細片に付着させ、冷凍使用時に、保冷時間が長く保持出来、凍結した水分と塩が分離凍結し溶解の際に周囲の冷却、発泡スチロールの断熱性で冷熱を保持出来、伶熱の伝導と発散を抑制出来、お茶ガラのカテキンと、塩で防腐作用が有り、ビニール等の、柔軟なシートを使用した袋に充填し、軽量な廃棄する発泡スチロールに、短繊維、糖質等を含む、廃棄物を使用した保冷剤。
【手続補正２】
【補正対象書類名】手続補正書
【補正対象項目名】手続補正３
【補正方法】削除
【補正の内容】
【手続補正３】
【補正対象書類名】明細書
【補正対象項目名】全文
【補正方法】変更
【補正の内容】
【考案の詳細な説明】
【技術分野】
【０００１】  本考案は、廃棄する、発泡スチロールを破砕し、細片化して、豆腐のオカラ米ヌカ、お茶ガラ等を、乾燥し、ミキサーに依り粉末状にし、稲ワラは最小に細断し、納豆菌を入れて発酵させ、発酵が終了したら、発酵ガスを抜き、発泡スチロールを、破砕、細片化したものに、適量の、塩を加え攪拌混入し、発泡スチロールの細片に、付着させた、廃棄物を使用した保冷剤。
【背景技術】
【０００２】    従来は、急な発熱をした場合、前頭部に氷嚢、後頭部に氷枕、最近は、
前後の頭部を、保冷剤をタオル等で包み冷却する、又は、吸収ポリマーに冷却液と揮発性の液体を吸収させ、布に粘着液を塗布し、額に貼付し、潜熱効果に依り、冷却する製品が有るが、発熱で汗が出て、高熱の場合に、冷却シートの位置がずれて、幼児が呼吸出来なく成った例が有った、額に当てる従来の保冷剤は、重い物が多い、圧迫感が有り、装着位置が、動きやすい。
【考案の開示】
【考案が解決しょうとする課題】
【０００３】  この保冷剤は、冷却する部位に装着する場合、柔軟軽量で、冷却時間を長く保持出来る、安価な素材を使用し、繰り返し冷凍し、使用する事が出来る、廃棄焼却する、発泡スチロールを素材に使用するが、その他の素材は、肥料になり、将来は、バイオエタノールの、原料に成るので、廃棄物には当たらいが安値で入手出来る、軽量で安価な、廃棄物を使用した保冷剤。
【課題を解決するための手段】
【０００４】  本考案は、廃棄する発泡スチロールを、破砕細片化して置き、豆腐のオカラ米ヌカ、お茶ガラ、粉末状態にし、稲ワラは、最も細かく細断し、納豆菌を、入れた容器に、発酵に適する温度の、温水を加え、更に、外側の温水容器に、適温の温水を入れ、保温して発酵が完了した段階で、発酵ガスを抜き、細片化して置いた、発泡スチロールに混入、適量の塩水を加えて攪拌、ビニール等の柔軟なシートを使用した袋に、保冷剤を充填した、廃棄物を使用した保冷剤。
【考案の効果】
【０００５】  本考案に使用する、発泡スチロールは、多くの自治体は、廃棄焼却して居る多く集まる、青果市場等では、溶解液で溶解し、化学プラントに搬送再生して居るが、一般家庭より排出する、発泡スチロールは、燃えるゴミとして、処理大気汚染、大気温暖化を促進して居る、発泡スチロールは、米ツブから胡麻粒程度に破砕細片化して使用、保冷剤に含む、素材も人体に無害の素材で、無害である、発泡スチロールの断熱性に依り、冷熱の伝導と発散を抑制、納豆菌に依る、粘性で、発泡スチロールの細片に付着し、軽量で安価で、保冷時間を、長く保持出来る、特殊な使用方法では、高圧電線の鉄塔の、作業員が着用するゴム性の作業服の下に装着するため、保冷容器に予備の保冷剤を携帯、使用し警察官が、着用する、防弾チョッキの下に装着し使用出来る、保冷剤の提供。
【考案を解決するための最良の形態】
【０００６】発泡スチロールを、破砕、細片化して置き、豆腐のオカラ、米ヌカ、お茶ガラ等を、粉末状態にし、稲ワラは、最も細く細断し、発酵に適する温水を加え、納豆菌を混入、外側の温水容器にも、温水を入れ発酵に適する温度を保持して発酵し、発酵が完了した段階で発酵ガス抜き、納豆菌の粘性が消えない程度に加熱発酵を止め、発泡スチロールを細片化して置いたものに、適量の塩を混入攪拌し、ビニール等の柔軟なシートの袋に充填した、廃棄物を使用した保冷剤。
【実施例１】
【０００７】以下貼付図面に従って、実施例を説明します、１は廃棄する発泡スチロールを破砕細片化した物に、２の、豆腐のオカラ、米ヌカ、お茶ガラ等を乾燥して、３の、稲ワラは、最小に細く細断し、２の素材に混入し、４の納豆菌を混入し攪拌して容器に、発酵に適する温度の、お湯を入れ攪拌し、更に外側の容器に適温を保持する容器に、お湯を入れ、納豆菌の発酵が終了の段階で発酵ガスを抜き、納豆菌の粘性が消えない温度を加熱し、米粒からゴマ粒程度に細片化し発泡スチロールに付着、５の、適する量の、塩と水を、混入攪拌して、６の、ビニールの袋に充填した、廃棄物使用した保冷剤。
【図面の簡単な説明】
【０００８】
【図１】  保冷剤袋の平面図、
【図２】  保冷剤袋の拡大透視図、
【符号の説明】
【０００９】  １    廃棄する発泡スチロールを破砕細片化した物、
２    豆腐のオカラ、米ヌカ、お茶ガラ等を乾燥した物、
３    稲ワラを最小に細く細断した物、
４    納豆菌、
５    適量の塩と水の溶液、
６    ビニール製の袋、
【手続補正４】
【補正対象書類名】図面
【補正対象項目名】全図
【補正方法】変更
【補正の内容】
【図１】
0003141037.tif 000016
【図２】
0003141037.tif 000017
【手続補正書】
【提出日】平成19年10月15日(2007.10.15)
【手続補正１】
【補正対象書類名】明細書
【補正の内容】
0003141037.tif 000018
0003141037.tif 000019
0003141037.tif 000020
0003141037.tif 000021
0003141037.tif 000022
0003141037.tif 000023
0003141037.tif 000024
【手続補正書】
【提出日】平成19年12月10日(2007.12.10)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
廃棄する、豆腐のオカラ、米ヌカ、お茶ガラ、稲ワラを、乾燥粉末化して納豆菌を混入し、発酵に適する温水を加え、発酵により繊維質と糖質に分解更に、糊状の粘りの有る状態を残し、発酵を止め発酵ガスを抜き、廃棄する発砲スチロ−ルを破砕、米粒程度より、ゴマ粒程に、細片化して、混入し、発砲スチロ−ルの、砕片を包むことが出来、混入した後に適量の塩を混入する事で、凍結した水分と塩が分離凍結し、溶解する際周囲を冷却する作用があり発砲スチロ−ルの、断熱性で冷熱を保持出来る、冷熱の伝導と発散を抑制出来お茶ガラの、カテキンと塩により防腐作用が有る、上記の混合素材をビニ−ル等の柔軟な、シ−トを使用した袋に充填し、軽量で冷却効果が有る、廃棄物を使用した保冷剤。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】本考案は、廃棄する、発泡スチロ−ルを破砕、細片化し、お茶ガラと稲ワラを乾燥し、ミキサ−に依り粉末状にし、米ヌカ、又は豆腐のオカラに、納豆菌を入れて発酵させ、発酵が終了後に、発酵ガスを抜き、糊状にしたものを、発泡スチロ−ルを破砕細片化したものに、適量の塩を加え混入、発泡スチロ−ルの細片に、付着させた、廃棄物を使用した保冷剤。
【背景技術】
【０００２】従来は、急な発熱をした場合、前頭部に氷嚢、後頭部に氷枕、最近は、前後の頭部を、保冷剤をタオル等で包み冷却する、又は、吸収ポリマ−に、冷却液と揮発性の液体を吸収させ、布に粘着液を塗布し、額に貼付し、潜熱効果に依り冷却する製品が有るが、発熱で汗が出て、高熱の場合に冷却シ−トの装着する位置が動きやすい、重い物が多く、圧迫感が有る。
【考案の開示】
【考案が解決しょうとする課題】
【０００３】  この保冷剤は、冷却する部位に装着する場合、柔軟軽量で、冷却時間を長く保持出来る、安価な素材を使用し、繰り返し冷凍、使用する事が出来る、廃棄焼却する、発泡スチロ−ルを素材に使用するが、その他の素材は、肥料になり将来は、バイオエタノ−ルの、原料に成るので、廃棄物には当たらいが安値で入手出来る、軽量で安価な、廃棄物を使用した保冷剤。
【課題を解決するための手段】
【０００４】  本考案は、廃棄する発泡スチロ−ルを、破砕細片化して置き、豆腐のオカラ又は、米ヌカに、お茶ガラ、稲ワラは、粉末状にし、納豆菌を混入して発酵に適する温度の、温水を加え、更に、外側の温水容器に適温の温水を入れ、保温して、発酵が完了後に、発酵ガスを抜き、糊状したものを、細片化した、発泡スチロ−ルに混入し、適量の塩を加えて攪拌、ビニ−ル等の柔軟な、シ−トを使用した袋に、保冷剤を充填した、廃棄物を使用した保冷剤。
【考案の効果】
【０００５】  本考案に使用する、発泡スチロ−ルは、多くの自治体は、廃棄焼却して居る多く集まる、青果市場等では、溶解液で溶解し、化学プラントに搬送再生して居るが、一般家庭より排出する、発泡スチロ−ルは、燃えるゴミとして、処理大気汚染、大気温暖化を促進して居る、発泡スチロ−ルは、米ツブから胡麻粒程度に破砕細片化して使用、保冷剤に含む、素材も人体に無害の素材で有る、発泡スチロ−ルの断熱性に依り、冷熱の伝導と発散を抑制、納豆菌に依る粘性で、発泡スチロ−ルの細片に付着した、軽量安価で保冷時間を長く保持出来る特殊な使用方法では、高圧電線の鉄塔の、作業員が着用するゴム性の作業服の下に装着するため、保冷容器に予備の保冷剤を携帯、使用し警察官が着用する防弾チョッキの下に装着し使用出来る、更に、課題としは、木材の、オガクズ等も分解、ガスを回収後の、繊維質も利用出来る、廃棄物を使用した保冷剤。
【考案を解決するための最良の形態】
【０００６】廃棄する、豆腐のオカラ、又は、米ヌカに、お茶ガラ、稲ワラを、乾燥粉末化して、納豆菌を混入、発酵に適する温水を加え、発酵に依り、繊維質と糖質に分解するため、更に、外側の温水容器に、温水を入れ発酵に適する温度を保持して、発酵が完了した後に、納豆菌の粘性が消えない程度に加熱し発酵を止め攪拌、糊状にして、発泡スチロ−ルを、米粒程度より、ゴマ粒程に細片化して置いたものに混入攪拌し、適量の塩を混入攪拌、細片化した発泡スチロ−ルを包み込み、冷凍の際に、水分が凍結し、溶解する際に、塩と融合し周囲を冷却する作用が有り、発泡スチロ−ルの断熱性で、冷熱の伝導と発散を抑制出来るお茶ガラに含まれる、カテキンと、塩に依り、防腐作用が有る、軽量な素材をビニ−ル等の、柔軟なシ−トの袋に充填した、廃棄物を使用した保冷剤。
【実施例１】
【０００７】以下貼付図面に従って、実施例を説明します、１は廃棄する発泡スチロ−ルを破砕細片化したものに、２の、豆腐のオカラ、又は、米ヌカを乾燥して、３のお茶ガラと、稲ワラ、を乾燥して粉末化、２の素材に混入し、４の、納豆菌を混入、攪拌し容器に、発酵に適する温度の、お湯を入れ攪拌し、更に、外側の容器に、適温を保持するため、お湯を入れ、納豆菌の発酵を継続し、繊維質と糖質に分解した後、納豆菌の粘性が消えない程度に加熱し、発酵を止め糊状にして、５の、米粒からゴマ粒程度に細片化した、発泡スチロ−ルに付着、６の適量の塩を混入し、７の、ビニ−ル等の袋に充填した廃棄物を使用した保冷剤。
【図面の簡単な説明】
【０００８】
【図１】    保冷剤袋の斜視図、
【図２】    保冷剤袋の拡大透視図、
【符号の説明】
【０００９】１    廃棄する発泡スチロ−ルを破砕細片化したもの、
２    豆腐のオカラ、又は、米ヌカを乾燥したもの、
３    稲ワラ、お茶ガラを乾燥粉末化したもの、
４    納豆菌を混入し糊状にしたもの、
５    発泡スチロ−ルを米粒からゴマ粒程度に細片化したもの、
６    適量の塩、
７    ビニ−ル等のシ−トの袋に充填した保冷剤、
【手続補正３】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003141037.tif 000025
【図２】
0003141037.tif 000026
【手続補正４】
【補正対象書類名】手続補正書
【補正対象項目名】手続補正４
【補正方法】削除
【補正の内容】